(57)【特許請求の範囲】
【請求項１】
基板とは別のプリント配線板やパネルに対して、前記基板を垂直に立てた状態で取り付けて、その取付位置において前記基板を固定するために用いられる基板保持具であって、
前記取付位置付近において前記プリント配線板や前記パネルに対して固定され、前記基板を挿し込み可能な溝を有する形状で、該溝に挿し込まれる前記基板を前記溝に沿って前記取付位置へと案内するガイド部と、
該ガイド部の溝に沿って前記基板を前記取付位置まで挿し込んだ際に、前記基板側に形成された被係合部と係合する係合部と、
前記溝と平行な方向に動くことにより、前記係合部と前記被係合部との係合を妨げない第１の位置、または、前記係合部に当接して該係合部を変位させることによって前記係合部と前記被係合部との係合を解除した状態にする第２の位置へ変位可能な状態で、前記ガイド部に取り付けられており、前記第２の位置へ変位させられた際には、前記第２の位置へ変位した状態を維持することにより、前記係合部と前記被係合部との係合が解除された状態を維持可能な可動部と
を備えたことを特徴とする基板保持具。
【請求項２】
前記係合部が、前記ガイド部から延出されていて、
前記可動部が、前記第２の位置へ変位するのに伴って前記係合部と前記ガイド部との間に割り込むくさび部を有し、該くさび部を前記係合部と前記ガイド部との間に割り込ませて前記係合部を変位させることにより、前記係合部と前記被係合部との係合を解除した状態にする
ことを特徴とする請求項１に記載の基板保持具。
【発明の詳細な説明】
【０００１】
【発明の属する技術分野】
本発明は、基板保持具に関する。
【０００２】
【従来の技術】
従来から、主となるプリント配線板（以下、メイン基板という）に対して、メイン基板とは別のプリント配線板（以下、サブ基板という）を略垂直に立てた状態で取り付けることが行われており、このような取付構造において、図８（ａ），同図（ｂ）に例示するような基板保持具９０が利用されている。
【０００３】
この基板保持具９０は、メイン基板Ｂ１上に固定配置されるもので、メイン基板Ｂ１の表面に対して略垂直な方向へ延びる溝９２を有し、この溝９２の一端からサブ基板Ｂ２を挿し込むと、サブ基板Ｂ２が溝９２に沿って適正な取付位置へと案内されるようになっている。
【０００４】
サブ基板Ｂ２が適正な取付位置まで挿し込まれると、基板保持具９０に設けられた係合片９４が、サブ基板Ｂ２側に形成された被係合部Ｃと係合した状態となり、これにより、サブ基板Ｂ２が適正な取付位置に位置決めされ、また、サブ基板Ｂ２が基板保持具９０から抜けない状態になる。
【０００５】
また、サブ基板Ｂ２が適正な取付位置まで挿し込まれると、同時に、サブ基板Ｂ２の端部に設けられたコンタクト部（図示略）が、メイン基板Ｂ１上に配設されたコネクタ（図示略）に挿し込まれた状態となり、これにより、メイン基板Ｂ１側の回路とサブ基板Ｂ２側の回路が電気的に接続されることになる。この状態において、基板保持具９０は、サブ基板Ｂ２に何らかの荷重が作用したような場合にメイン基板Ｂ１側のコネクタやサブ基板Ｂ２側のコンタクト部に負荷が集中するのを防止しており、これにより、コネクタやコンタクト部の損傷を防止する役割を果たしている。
【０００６】
【発明が解決しようとする課題】
ところで、上記のようなサブ基板Ｂ２の取付構造において、サブ基板Ｂ２をメイン基板Ｂ１から取り外す際には、指先で係合片９４を所定の方向（図８（ｂ）においては矢印Ａ方向）へ引っ張ることにより、係合片９４を弾性変形させて係合片９４と被係合部Ｃとの係合を解除し、その係合を解除した状態を保ったままサブ基板Ｂ２を引き抜くことにより、サブ基板Ｂ２をメイン基板Ｂ１から取り外すことができた。
【０００７】
しかしながら、このような手法でサブ基板Ｂ２を取り外す場合には、係合片９４と被係合部Ｃとの係合を解除した状態を維持したまま、サブ基板Ｂ２を引き抜かなければならないため、少なくとも２つは設けられる基板保持具９０の各係合片９４の操作に両手をとられてしまうと、別の作業者がサブ基板Ｂ２を引き抜かなければならず、作業者一人ではサブ基板Ｂ２の取り外し作業を行うことができないという問題があった。
【０００８】
また、このような基板保持具９０やサブ基板Ｂ２は、例えばコンピューターの筐体内など、きわめて狭い場所に配置されていることが多いので、二人以上の作業者が同時に狭い空間内に手を突っ込んで作業を行うことは困難な場合がある。そのため、上記のように作業者が二人がかりでサブ基板Ｂ２の取り外し作業を行うに当たっては、まずメイン基板Ｂ１を筐体内から取り出した上でサブ基板Ｂ２の取り外し作業を行ったり、あるいは、筐体内にある障害物を取り外して筐体内での作業空間を確保した上でサブ基板Ｂ２の取り外し作業を行ったりせざるを得ず、いずれにしてもサブ基板Ｂ２の取り外し作業に多大な手間がかかるという問題があった。
【０００９】
本発明は、上記問題を解決するためになされたものであり、その目的は、基板の取り外し作業を従来よりも簡単に実施可能な基板保持具を提供することにある。
【００１０】
【課題を解決するための手段、および発明の効果】
上記目的を達成するため、上記請求項１に記載の基板保持具は、
基板とは別のプリント配線板やパネルに対して、前記基板を垂直に立てた状態で取り付けて、その取付位置において前記基板を固定するために用いられる基板保持具であって、
前記取付位置付近において前記プリント配線板や前記パネルに対して固定され、前記基板を挿し込み可能な溝を有する形状で、該溝に挿し込まれる前記基板を前記溝に沿って前記取付位置へと案内するガイド部と、
該ガイド部の溝に沿って前記基板を前記取付位置まで挿し込んだ際に、前記基板側に形成された被係合部と係合する係合部と、
前記溝と平行な方向に動くことにより、前記係合部と前記被係合部との係合を妨げない第１の位置、または、前記係合部に当接して該係合部を変位させることによって前記係合部と前記被係合部との係合を解除した状態にする第２の位置へ変位可能な状態で、前記ガイド部に取り付けられており、前記第２の位置へ変位させられた際には、前記第２の位置へ変位した状態を維持することにより、前記係合部と前記被係合部との係合が解除された状態を維持可能な可動部と
を備えたことを特徴とする。
【００１１】
この基板保持具は、例えばプリント配線板など、各種電子部品が実装される配線板（以下、単に基板という）を、別のプリント配線板上やその他のパネル面上など（以下、単に取付位置という）に固定する際に用いられるものである。
この基板保持具において、ガイド部は、基板の取付位置付近に固定される部分であるが、ガイド部を取付位置付近に固定するための構造については特に限定されず、例えば、ガイド部と一体成形された部分を取付位置に形成された取付穴に挿し込んで固定する構造、ネジやピンなどを打ち込んで固定する構造、接着剤や半田などを介してガイド部を取付位置に固着する構造など何でもよい。ガイド部に形成される溝は、挿し込まれた基板を、実用上差し支えがない程度にがたつきなく保持可能な幅および深さを有するものであればよく、基板を保持する機能を損なわない範囲内であれば、溝の幅や深さが部分的に異なっていても構わないし、溝をなす側壁ないし底面の一部が欠けていたり、その側壁ないし底面に穴が開いていたりしても構わない。また、挿し込まれた基板に対して弾性変形を伴って圧接する弾性圧接片を溝の内側に設けることにより、溝の幅よりも薄い基板が挿し込まれた場合の基板のがたつきを防止するように構成してあってもよい。
【００１２】
係合部は、ガイド部の溝に沿って基板を取付位置まで挿し込んだ際に、基板側に形成された被係合部と係合する部分である。係合部と被係合部との具体的な係合構造としては周知の係合構造を任意に採用可能であり、係合部の具体的な形状については、基板側の被係合部の具体的な形状に応じて種々変わり得るが、一例を挙げるとすれば、例えば、弾性変形可能な延出片の先端部を鉤状に屈曲させたものを係合部として設け、その鉤状に屈曲した先端部が引っかかる凹部を基板側に設けて被係合部とする、といったものでよい。
【００１３】
可動部は、上述の通り、第１の位置または第２の位置へ変位可能な状態で、ガイド部に取り付けられたもので、ガイド部の溝が延びる方向と平行な方向に動くことにより、第１の位置または第２の位置へ変位する。また、この可動部は、少なくとも第２の位置へ変位した際に、係合部に当接して係合部を変位させることによって係合部と被係合部との係合を解除した状態にする構造となっているものであり、第２の位置へ変位させられた際には、第２の位置へ変位した状態を維持することにより、係合部と被係合部との係合が解除された状態を維持可能となっている。
【００１４】
なお、上記各部は、機能的に問題がなければどのような材料で形成されていても構わないが、通常は、プラスチック材料によって形成されていればよい。また、必要な剛性を確保したり弾性を付与したりするために、一部に金属部品を組み合わせて構成してもよい。
【００１５】
このように構成された基板保持具によれば、基板とは別のプリント配線板やパネルに対して、基板を垂直に立てた状態で取り付けて、その取付位置において基板を固定することができる。しかも、可動部を第２の位置へ変位させると、可動部が係合部に当接して係合部を変位させ、係合部と被係合部との係合が解除された状態となる。この可動部は、意図的に操作しない限り第２の位置から変位しないものであり、可動部を第２の位置に変位させておけば、作業者は各係合部の係合を解除した状態を維持する操作から解放されるので、基板を引き抜く操作を実施できる。
【００１６】
したがって、作業者一人でも十分に基板の取り外し作業を行うことができる。また、例えばコンピューターの筐体内など、きわめて狭い場所に基板が配置されている場合にも、一人の作業者であれば狭い空間内に手を突っ込んで作業ができるので、二人の作業者が作業を行うための作業空間を確保する必要はなくなり、基板の取り外し作業に多大な手間がかかることもなくなる。
【００１８】
また、本発明の基板保持具において、可動部は、ガイド部の溝と平行な方向に動くので、基板を抜き差しする方向と可動部の動作方向が一致することになる。
【００１９】
したがって、作業者が狭い空間内に手を突っ込んで基板の抜き差しを行う際に、作業者は手を突っ込んだ方向または手を引き抜く方向へ可動部を操作するだけで係合部と被係合部との係合を解除でき、他の方向へ可動部を変位させるものに比べ、可動部を変位させる操作を無理なく実施することができる、という効果がある。
【００２０】
また、上記請求項２に記載の基板保持具は、
前記係合部が、前記ガイド部から延出されていて、
前記可動部が、前記第２の位置へ変位するのに伴って前記係合部と前記ガイド部との間に割り込むくさび部を有し、該くさび部を前記係合部と前記ガイド部との間に割り込ませて前記係合部を変位させることにより、前記係合部と前記被係合部との係合を解除した状態にする
ことを特徴とする。
【００２１】
このような基板保持具によれば、上記請求項１または請求項２に記載の基板保持具について述べた通りの作用、効果があるのはもちろんのこと、さらに、可動部がくさび部を有し、くさび部を係合部とガイド部との間に割り込ませて係合部を変位させるので、くさび部の変位する方向と係合部の変位する方向が異なる方向となる。
【００２２】
したがって、くさび部によって変位させられた係合部を元の位置へ復帰させるような力が作用し、その力がくさび部に伝わったとしても、そのような方向へ作用する力では、くさび部が元の位置に復帰しにくいので、係合部と被係合部との係合を解除した状態が維持されやすい、という効果がある。
【００２３】
【発明の実施の形態】
次に、本発明の実施形態について一例を挙げて説明する。
図１および図２は、それぞれ基板保持具１の斜視図、図３（ａ）は基板保持具１の平面図、図３（ｂ）は基板保持具１の正面図、図３（ｃ）は基板保持具１の右側面図、図４（ａ）は基板保持具１の背面図、図４（ｂ）は、図４（ａ）を基準として描いた基板保持具１の底面図である。なお、以下の説明においては、基板保持具１が固定される基板をメイン基板Ｂ１、基板保持具１によって保持される基板をサブ基板Ｂ２と呼ぶ。
【００２４】
基板保持具１は、ガイド部３、係合部５、可動部７などによって構成されている。
ガイド部３は、プラスチック材料によって成形された部分で、サブ基板Ｂ２を挿し込むための溝１１が形成されている。この溝１１は、図３（ｂ）に示すように、溝１１の一方の端部である第１部分１１ａから、第２部分１１ｂ、第３部分１１ｃ、第４部分１１ｄ、および第５部分１１ｅを経て、溝１１の他方の端部である第６部分１１ｆへと延びている。溝１１の第１部分１１ａは、溝１１の端から挿し込まれるサブ基板Ｂ２を溝１１内へ導入しやすくするために、溝１１の端において最も幅が広がっていて、溝１１の端から離れるほど（すなわち、第２部分１１ｂに近づくほど）幅が狭まる形状となっている。溝１１の第２部分１１ｂには一対の弾性圧接片１３が設けられ、また、溝１１の第５部分１１ｅにも一対の弾性圧接片１５が設けられ、これらの弾性圧接片１３間および弾性圧接片１５間にサブ基板Ｂ２を挟み込むことによって、溝１１内におけるサブ基板Ｂ２のがたつきを抑制するようになっている。また、溝１１の第３部分１１ｃは、溝１１に挿し込まれるサブ基板Ｂ２の厚さにほぼ等しい幅とされ、この第３部分１１ｃによって、サブ基板Ｂ２が厚さ方向について適正な位置に位置決めされるようになっている。
【００２５】
ガイド部３の端には、基部１７が設けられている。この基部１７は、取付位置であるメイン基板Ｂ１に隣接配置される部分で、メイン基板Ｂ１に対向する側には、突条１７ａ〜１７ｃが形成されている。
また、基部１７の突条１７ａ〜１７ｃが設けられた面には、一対の取付片１９が突設されている。この取付片１９は、階段状に形成された挟持面１９ａを有し、図５（ａ）および同図（ｃ）に例示するように、挟持面１９ａ上のいずれかの段と突条１７ａ〜１７ｃとの間にメイン基板Ｂ１を挟み込むことにより、異なる厚さ（本実施形態においては５通りの厚さ）のメイン基板Ｂ１に対して基板保持具１を固定できるようになっている。取付片１９を挿し込むためにメイン基板Ｂ１に形成される取付穴Ｈ１，Ｈ２は、図５（ｂ）および同図（ｄ）に例示するように、メイン基板Ｂ１の厚さに応じて異なる形状とされる。具体的には、取付穴Ｈ１，Ｈ２は、どちらも幅が２段階に変化する形状となっていて、幅の広い部分については単に取付片１９を挿入可能な幅とされているが、幅の狭い部分については、取付片１９を取付穴Ｈ１，Ｈ２の幅の広い部分から狭い部分へとスライドさせた際に、取付片１９が取付穴Ｈ１，Ｈ２の幅の狭い部分にぴったりと嵌るように、メイン基板Ｂ１の厚さに応じて最適な幅が設定される。
【００２６】
さらに、基部１７からは、２つの弾性延出片２１が延出されている。この弾性延出片２１は、上述の如く取付片１９を取付穴Ｈ１，Ｈ２の幅の広い部分から狭い部分へとスライドさせた時に、取付穴Ｈ１，Ｈ２の幅の広い部分に嵌り込むことにより、弾性延出片２１の先端部で取付穴Ｈ１，Ｈ２の内壁面に当接する状態となって、取付片１９が取付穴Ｈ１，Ｈ２の幅の広い部分へ戻る方向へスライドするのを阻止するストッパーとして機能する。したがって、この弾性延出片２１の作用により、基板保持具１がメイン基板Ｂ１から簡単には外れない状態となる。
【００２７】
係合部５は、ガイド部３とともにプラスチック材料によって一体成形された部分で、図６に示すように、ガイド部３から延出された延出部２５と、延出部２５の先端から溝１１内へ突出するように形成された係止爪部２７と、延出部２５の先端で係止爪部２７とは反対側に設けられた操作部２９とを備えてなる。
【００２８】
可動部７は、プラスチック材料によって成形されているが、ガイド部３および係合部５とは別体の部品となっている。この可動部７は、ガイド部３の外周に嵌め込まれる外嵌部３１と、外嵌部３１から延出されたくさび部３３とを備えてなり、ガイド部３に対してスライド可能な構造になっている。
【００２９】
以上のように構成された基板保持具１は、図７（ａ）に示すように、メイン基板Ｂ１上に固定配置される。
この状態において、サブ基板Ｂ２を基板保持具１に取り付ける場合には、溝１１の一端からサブ基板Ｂ２を挿し込む。サブ基板Ｂ２は溝１１に沿って適正な取付位置へと案内され、サブ基板Ｂ２が適正な取付位置まで挿し込まれると、基板保持具１の係合部５が、サブ基板Ｂ２側に形成された被係合部Ｃと係合した状態となり、これにより、サブ基板Ｂ２が適正な取付位置に位置決めされ、また、サブ基板Ｂ２が基板保持具１から抜けない状態になる。
【００３０】
一方、サブ基板Ｂ２をメイン基板Ｂ１から取り外す際には、図７（ｂ）に示すように、可動部７をメイン基板Ｂ１側へ近づける方向へスライドさせる。この時、可動部７のくさび部３３は、ガイド部３と係合部５（操作部２９）との間に割り込んで係合部５の延出部２５を弾性変形させ、これにより、係合部５と被係合部Ｃとの係合が解除される。可動部７から手を離しても、可動部７はメイン基板Ｂ１から離れる方向へ変位することはなく、係合部５と被係合部Ｃとの係合を解除した状態はそのまま維持される。したがって、作業者は、可動部７をスライドさせて係合部５と被係合部Ｃとの係合を解除した後、サブ基板Ｂ２を引き抜く作業に移ることができる。
【００３１】
このように、上記基板保持具１によれば、可動部７をスライドさせて係合部５と被係合部Ｃとの係合を解除し、その状態を維持できるので、作業者一人でもサブ基板Ｂ２の取り外し作業を行うことができる。
また、例えばコンピューターの筐体内など、きわめて狭い場所にサブ基板Ｂ２が配置されている場合にも、一人の作業者であれば狭い空間内に手を突っ込んで作業ができるので、二人の作業者が作業を行うための作業空間を確保する必要はなくなり、サブ基板Ｂ２の取り外し作業に多大な手間がかかることもなくなる。
【００３２】
さらに、上記基板保持具１においては、可動部７が、ガイド部３の溝１１と平行な方向に動くので、サブ基板Ｂ２を抜き差しする方向と可動部７の動作方向が一致することになる。したがって、作業者が狭い空間内に手を突っ込んでサブ基板Ｂ２の抜き差しを行う際に、作業者は手を突っ込んだ方向または手を引き抜く方向へ可動部７を操作するだけで係合部５と被係合部Ｃとの係合を解除でき、他の方向へ可動部を変位させるものに比べ、可動部７を変位させる操作を無理なく実施することができる。
【００３３】
加えて、上記基板保持具１においては、可動部７がくさび部３３を有し、くさび部３３を係合部５とガイド部３との間に割り込ませて係合部５を変位させるので、くさび部３３の変位する方向と係合部５の変位する方向が異なる方向となる。したがって、係合部５が弾性変形するのに伴って生じた弾性力がくさび部３３に伝わったとしても、そのような方向へ作用する弾性力では、くさび部３３が元の位置に復帰しにくいので、係合部５と被係合部Ｃとの係合を解除した状態が維持されやすい。
【００３４】
以上、本発明の実施形態について説明したが、本発明は上記の具体的な一実施形態に限定されず、この他にも種々の形態で実施することができる。
例えば、上記実施形態においては、メイン基板Ｂ１に対する取付構造として、取付片１９による特定の取付構造を例示したが、メイン基板Ｂ１に対する取付構造については特に限定されず、周知の取付構造を適宜採用することができる。
【００３５】
また、上記基板保持具１においては、溝１１の内部に弾性圧接片１３，１５を設けてあったが、このような弾性圧接片１３，１５を設けるか否かは任意である。
【００３６】
加えて、上記基板保持具１においては、２つの弾性延出片２１を設けて、基板保持具１がメイン基板Ｂ１から簡単には外れないように構成してあったが、例えば、部品のリサイクル、分別廃棄等を考慮して、基板保持具１をメイン基板Ｂ１から取り外しやすい構造としたい場合には、弾性延出片２１を設けない構成としてもよい。この場合、基板保持具１をメイン基板Ｂ１の表面に沿ってスライドさせるという簡単な操作を行うだけで、基板保持具１をメイン基板Ｂ１に対して自由に着脱できる。
【００３７】
但し、弾性延出片２１を設けない場合であっても、少なくとも基板保持具１がサブ基板Ｂ２を保持した状態にある時には、基板保持具１が容易にはスライドしない構造を採用すべきである。それには、例えば、第１の間隔をおいて対向配置された一対の基板保持具１間にサブ基板Ｂ２を挿し込む場合であれば、上記第１の間隔よりも狭い第２の間隔となる位置において各基板保持具１をメイン基板Ｂ１に挿し込んでから、各基板保持具１を互いに離れる方向へスライドさせると、基板保持具１が第１の間隔をおいて配置されるように、取付穴Ｈ１，Ｈ２の幅の広い部分と狭い部分との位置関係を設定するとよい。こうすれば、一対の基板保持具１の間隔が狭まる方向へ各基板保持具１をスライドさせない限り、基板保持具１をメイン基板Ｂ１から取り外すことができなくなるので、一対の基板保持具１間にサブ基板Ｂ２を保持している限り、サブ基板Ｂ２が基板保持具１のスライドを阻止する状態となる。なお、弾性延出片２１を設けてある場合は、基板保持具１自体がメイン基板Ｂ１から簡単には外れないので、取付穴Ｈ１，Ｈ２の幅の広い部分と狭い部分との位置関係について、上記のような工夫は不要である。
【図面の簡単な説明】
【図１】  本発明の実施形態として説明した基板保持具の斜視図である。
【図２】  上記基板保持具を図１とは別の方向から見た斜視図である。
【図３】  上記基板保持具を示す図であり、（ａ）はその平面図、（ｂ）はその正面図、（ｃ）はその右側面図である。
【図４】  上記基板保持具を示す図であり、（ａ）はその背面図、（ｂ）は図４（ａ）を基準として描いた底面図である。
【図５】  （ａ）は最も薄いメイン基板に基板保持具を取り付けた場合の取付状態を示す断面図、（ｂ）は図５（ａ）に示したメイン基板に形成される取付穴を示す平面図、（ｃ）は最も厚いメイン基板に基板保持具を取り付けた場合の取付状態を示す断面図、（ｄ）は図５（ｃ）に示したメイン基板に形成される取付穴を示す平面図である。
【図６】  上記基板保持具の縦断面図である。
【図７】  上記基板保持具をメイン基板に固定してサブ基板を保持した状態を示す縦断面図であり、（ａ）は係合部と被係合部が係合した状態を示す図、（ｂ）は係合部と被係合部との係合が解除された状態を示す図である。
【図８】  従来の基板保持具をメイン基板に固定してサブ基板を保持した状態を示す縦断面図であり、（ａ）は係合部と被係合部が係合した状態を示す図、（ｂ）は係合部と被係合部との係合が解除された状態を示す図である。
【符号の説明】
１・・・基板保持具、３・・・ガイド部、５・・・係合部、７・・・可動部、１１・・・溝、１３，１５・・・弾性圧接片、１７・・・基部、１９・・・取付片、２１・・・弾性延出片、２５・・・延出部、２７・・・係止爪部、２９・・・操作部、３１・・・外嵌部、３３・・・くさび部。
【図１】
0004256052.tif 000002
【図２】
0004256052.tif 000003
【図３】
0004256052.tif 000004
【図４】
0004256052.tif 000005
【図５】
0004256052.tif 000006
【図６】
0004256052.tif 000007
【図７】
0004256052.tif 000008
【図８】
0004256052.tif 000009